(57)【要約】【課題】定着部の汚れを防止できる定着装置及び画像形成装置を得る。【解決手段】記録用紙１１２のジャムが検知されると、ファン２６及び吸気装置３４が駆動する。記録用紙１１２の記録面側は、矢印Ａ方向からの送風が吹き付けられ、記録用紙１１２の裏面側は、矢印Ｂ方向の吸気により側板２８側に吸い寄せられる。これにより、記録用紙１１２はカバーガラス１６から離間し、カバーガラス１６にトナーＴが付着するのを防ぐ。【選択図】図４
2008185925.tif 000002
【特許請求の範囲】
【請求項１】
用紙と非接触状態で、該用紙上のトナー画像を定着する熱源を備えた定着部と、
前記定着部と前記用紙との接触を防止する接触防止手段と、
を備えたことを特徴とする定着装置。
【請求項２】
前記接触防止手段が、前記定着部から前記用紙に向かう方向に送風して、前記用紙を前記定着部から離間させる送風手段を有することを特徴とする請求項１に記載の定着装置。
【請求項３】
前記接触防止手段が、前記定着部と対向する位置に配置され吸気して、前記用紙を前記定着部から離間させる吸気手段を有することを特徴とする請求項１又は請求項２に記載の定着装置。
【請求項４】
前記接触防止手段が、前記定着部から前記用紙に向かう方向に送風する送風手段と、前記定着部と対向する位置に配置され吸気する吸気手段とを有し、前記送風手段及び前記吸気手段を用いて、前記用紙を前記定着部から離間させることを特徴とする請求項１に記載の定着装置。
【請求項５】
前記接触防止手段が、前記定着部と対向する位置に設けられ前記用紙を静電引力により前記定着部から離間させる静電力発生手段を有することを特徴とする請求項１又は請求項２に記載の定着装置。
【請求項６】
前記定着部と対向する位置に配置され、前記用紙から前記定着部に向かう方向に送風して前記定着部に前記用紙を近づける逆送風手段を有し、定着時には前記逆送風手段で前記用紙に送風し、非定着時には前記逆送風手段を停止するとともに前記送風手段で前記用紙に送風することを特徴とする請求項２に記載の定着装置。
【請求項７】
前記定着部は、前記熱源と、該熱源をシールドする保護ガラスとを備え、前記接触防止手段は、前記用紙と前記保護ガラスの接触を防止することを特徴とする請求項１から請求項６のいずれか１項に記載の定着装置。
【発明の詳細な説明】
【技術分野】
【０００１】
本発明は、定着装置に関する。
【背景技術】
【０００２】
従来、電子写真方式の画像形成装置において、フラッシュランプを用いてトナーを用紙に定着させるフラッシュ定着方式を用いた画像形成装置がある。
【０００３】
フラッシュ定着方式の画像形成装置では、保護ガラスを介して用紙にフラッシュ光を照射するものがある（例えば、特許文献１参照）。
【０００４】
特許文献１の画像形成装置は、現像部と定着部の間にファンを設けている。
【特許文献１】特開２００２−２２９４１８
【発明の開示】
【発明が解決しようとする課題】
【０００５】
本発明は、定着部の汚れを防止できる定着装置を得ることを目的とする。
【課題を解決するための手段】
【０００６】
本発明の請求項１に係る定着装置は、用紙と非接触状態で、該用紙上のトナー画像を定着する熱源を備えた定着部と、前記定着部と前記用紙との接触を防止する接触防止手段と、を備えたことを特徴としている。
【０００７】
本発明の請求項２に係る定着装置は、前記接触防止手段が、前記定着部から前記用紙に向かう方向に送風して、前記用紙を前記定着部から離間させる送風手段を有することを特徴としている。
【０００８】
本発明の請求項３に係る定着装置は、前記接触防止手段が、前記定着部と対向する位置に配置され吸気して、前記用紙を前記定着部から離間させる吸気手段を有することを特徴としている。
【０００９】
本発明の請求項４に係る定着装置は、前記接触防止手段が、前記定着部から前記用紙に向かう方向に送風する送風手段と、前記定着部と対向する位置に配置され吸気する吸気手段とを有し、前記送風手段及び前記吸気手段を用いて、前記用紙を前記定着部から離間させることを特徴としている。
【００１０】
本発明の請求項５に係る定着装置は、前記接触防止手段が、前記定着部と対向する位置に設けられ前記用紙を静電引力により前記定着部から離間させる静電力発生手段を有することを特徴としている。
【００１１】
本発明の請求項６に係る定着装置は、前記定着部と対向する位置に配置され、前記用紙から前記定着部に向かう方向に送風して前記定着部に前記用紙を近づける逆送風手段を有し、定着時には前記逆送風手段で前記用紙に送風し、非定着時には前記逆送風手段を停止するとともに前記送風手段で前記用紙に送風することを特徴としている。
【００１２】
本発明の請求項７に係る定着装置は、前記定着部は、前記熱源と、該熱源をシールドする保護ガラスとを備え、前記接触防止手段は、前記用紙と前記保護ガラスの接触を防止することを特徴としている。
【発明の効果】
【００１３】
本発明の請求項１の構成によれば、本構成を有していない場合と比較して、接触防止手段によって定着部に用紙が接触せず、用紙の紙粉やトナーが定着部の表面に付着しなくなる。
【００１４】
本発明の請求項２の構成によれば、本構成を有していない場合と比較して、用紙に送風することで定着部から用紙を離間させることができる。
【００１５】
本発明の請求項３の構成によれば、本構成を有していない場合と比較して、吸気手段によって用紙のトナー画像面の裏面側から引かれるので、定着部から用紙を離間させることができる。
【００１６】
本発明の請求項４の構成によれば、本構成を有していない場合と比較して、用紙の表面に送風するとともに用紙の裏面から吸気するので、定着部から用紙を離間させることができる。
【００１７】
本発明の請求項５の構成によれば、本構成を有していない場合と比較して、静電引力によって定着部から用紙を離間させることができる。
【００１８】
本発明の請求項６の構成によれば、本構成を有していない場合と比較して、定着時は、用紙が定着部に近づくので、用紙へのトナー画像の定着性がよくなる。また、非定着時は、用紙が定着部から離間させることができる。
【００１９】
本発明の請求項７の構成によれば、本構成を有していない場合と比較して、前記定着部が、保護ガラスを備えているので、熱源に用紙が直接接触することがなくなる。また、接触防止手段が、用紙と保護ガラスの接触を防止するので、保護ガラス表面が紙粉やトナーで汚れることがなくなる。
【発明を実施するための最良の形態】
【００２０】
本発明の画像形成装置の第１実施形態を図面に基づき説明する。
【００２１】
図１に示すように、画像形成後にキセノンランプ等の照射熱によって定着を行うフラッシュ定着を行う画像形成装置１００が設置されている。
【００２２】
画像形成装置１００は、用紙の一例としての切断可能な連続用紙からなる記録用紙１１２に画像を形成する装置である。
【００２３】
画像形成装置１００の内部へ矢印ＩＮ方向から挿入された記録用紙１１２は、巻掛ローラ１１４，１１６に巻き掛けられ、画像形成装置１００の内部を横切るように形成された搬送路を一定速度で搬送される。
【００２４】
記録用紙１１２の搬送路の下方側には、Ｃ（シアン），Ｍ（マゼンタ），Ｙ（イエロー），Ｋ（ブラック）各色のトナー像を形成する画像形成部１１８Ａ，１１８Ｂ，１１８Ｃ，１１８Ｄが前記搬送路に沿って略等間隔で配置されている。
【００２５】
画像形成部１１８Ａ〜１１８Ｄは、形成するトナー像の色以外は同一の構成であり、軸線が記録用紙１１２の搬送方向と直交するように配置された感光体ドラム１２０を備えている。
【００２６】
感光体ドラム１２０の周囲には、感光体ドラム１２０を帯電させるための帯電器１２２が設けられている。感光体ドラム１２０の回転方向における帯電器１２２の下流側には、帯電された感光体ドラム１２０上にＬＥＤ光を照射して静電潜像を形成する露光装置１２４が設けられている。
【００２７】
露光装置１２４の下流側には、感光体ドラム１２０上の静電潜像に所定色のトナーを供給してトナー像を形成させる現像器１２６が設けられている。
【００２８】
現像器１２６の下流側には、記録用紙１１２の搬送路を挟んで感光体ドラム１２０と対向して配置され、記録用紙１１２上にトナー像を転写する転写器１２８が設けられている。
【００２９】
転写器１２８の下流側には、感光体ドラム１２０の表面を除電する除電器１３０、感光体ドラム１２０の表面の残留トナーを除去するクリーナブレード１３２、及びクリーナブラシ１３４が各々配置されている。
【００３０】
ここで、カラー印刷時には、画像形成部１１８Ａ〜１１８Ｄは、帯電器１２２、露光装置１２４、及び現像器１２６により、感光体ドラム１２０の周面上に互いに異なる色のトナー像を形成した後、トナー像を転写器１２８によって記録用紙１１２に転写する。
【００３１】
画像形成部１１８Ａ〜１１８Ｄにおける帯電・露光（静電潜像形成）・現像（トナー像形成）・転写の一連のプロセスは、画像形成部１１８Ａ〜１１８Ｄで形成したトナー像が記録用紙１１２上で互いに重なり合うように実行タイミングが制御される。これにより、記録用紙１１２上にフルカラーのトナー像が形成される。
【００３２】
また、モノクロ印刷時には、ブラック用の画像形成部１１８Ｄが駆動され、帯電器１２２、露光装置１２４、及び現像器１２６により感光体ドラム１２０の周面上にブラックのトナー像を形成した後、トナー像を転写器１２８によって記録用紙１１２に転写することで、記録用紙１１２上にブラックのトナー像が形成される。
【００３３】
記録用紙１１２の搬送路は、画像形成部１１８Ａ〜１１８Ｄの配設位置の下流側で巻掛ローラ１３８によって搬送方向が略鉛直方向に変えられている。
【００３４】
巻掛ローラ１３８と後段の巻掛ローラ１４２の間の区間では、記録用紙１１２は、略鉛直方向上方へ搬送される。巻掛ローラ１３８、１４２の間の搬送路には、定着装置１０が配置されている。
【００３５】
定着装置１０は、定着部の一例としてのフラッシュ定着ユニット１４０、及び吸気手段の一例としての吸気ユニット１１を備えている。
【００３６】
巻掛ローラ１４２の後段には、テンションローラ１４４が設けられている。
【００３７】
テンションローラ１４４は、図示しない圧力センサ又は光学式の位置センサ等の検出手段が設けられている。また、テンションローラ１４４は、外周側面の一部が記録用紙１１２に当接しており、バネ等を用いて記録用紙１１２を下方側に押す方向に付勢されている。
【００３８】
ここで、図３ａに示すように、画像形成装置１００の通常使用時においては、記録用紙１１２が所定張力で張られており、テンションローラ１４４は、前述の付勢力と記録用紙１１２の張力とが釣り合う位置となっている。
【００３９】
一方、図３ｂに示すように、ジャムが発生して記録用紙１１２が切断された場合、記録用紙１１２の張力が弱まるので、テンションローラ１４４の位置が付勢力によって通常位置（２点鎖線）から下側位置（実線）へ下がる。
【００４０】
このテンションローラ１４４の位置変化を、前述の圧力センサ又は光学式の位置センサ等で検知することによって、記録用紙１１２のジャム検知が行われる。
【００４１】
また、図１に示すように、テンションローラ１４４の後段には、巻掛ローラ１４６、１４８が順に配置されており、トナー像が定着された記録用紙１１２は、巻掛ローラ１４６、１４８に案内されて画像形成装置１００の外部へ排出されるようになっている。
【００４２】
次に、定着装置１０について説明する。
【００４３】
定着装置１０は、前述のように、フラッシュ定着ユニット１４０及び吸気ユニット１１を備えている。
【００４４】
図２に示すように、フラッシュ定着ユニット１４０は、一方の平面が開放された箱状のハウジング１２を有し、ハウジング１２の内部にフラッシュ光を発する６本の熱源の一例としてのフラッシュランプ１４を備えている。
【００４５】
フラッシュランプ１４は、図示しない電源から供給される電圧によってフラッシュ光を発し、フラッシュ光のエネルギーによって記録用紙１１２上のトナーＴを溶融させ、記録用紙１１２に転写されたトナー像を定着させる。
【００４６】
フラッシュランプ１４の前面側で記録用紙１１２の搬送路側には、カバーガラス１６が配置されている。
【００４７】
保護ガラスの一例としてのカバーガラス１６は、ハウジング１２に接着により固定されており、フラッシュ定着ユニット１４０内部への塵埃等の侵入を防止するとともに、記録用紙１１２とフラッシュランプ１４との接触を防止している。
【００４８】
また、ハウジング１２には、フラッシュランプ１４を囲むようにして、貫通した複数の通気穴１８、１９、２０、２１が形成されている。通気穴１８、１９、２０、２１には、ステンレス製のパイプ２２、２４の一端が接続されており、他端がファン２６に接続されている。
【００４９】
送風手段の一例としてのファン２６は、図示しない電源供給手段により電源供給されて駆動し、パイプ２２、２４に空気を供給するようになっている。
【００５０】
これにより、ファン２６が図示しない電源供給手段により電源供給されると、パイプ２２、２４に空気が供給され、通気穴１８〜通気穴２１から記録用紙１１２に向けて送風されるようになっている。
【００５１】
ファン２６からパイプ２２、２４を介して通気穴１８〜通気穴２１までで送風手段が形成されている。
【００５２】
一方、記録用紙１１２の搬送路を挟んでフラッシュ定着ユニット１４０の前面と対向する位置には、吸気ユニット１１が配置されている。
【００５３】
接触防止手段の一例としての吸気ユニット１１は、側板２８、ダクト３２、吸気装置３４、パイプ３８を有している。
【００５４】
側板２８は、記録用紙１１２と所定距離で離間して固定されており、記録用紙１１２に向けて貫通した吸気穴３０が複数形成されている。また、側板２８における記録用紙１１２と反対側の面には、吸気穴３０を覆うようにして、ダクト３２が設けられている。
【００５５】
ダクト３２は、一方の端部に開口が形成されており、該開口に吸気装置３４がネジ、接着剤等によって固定されている。また、ダクト３２には、吸気時の空気流を安定させるために傾斜面が形成されている。
【００５６】
吸気装置３４は、内部に図示しないモータ等の駆動手段で回転するファン３６を備えている。また、吸気装置３４には、吸気した空気を画像形成装置１００の外部に排気するためのパイプ３８が接続されている。
【００５７】
これにより、吸気装置３４が駆動されると、ファン３６が回転して吸気穴３０を介して吸気し、吸気された空気はダクト３２からファン３６を通過してパイプ３８に排気される。
【００５８】
なお、ファン２６から通気穴１８〜通気穴２１までの送風手段と、吸気ユニット１１とにより、本実施形態の接触防止手段が形成されている。
【００５９】
また、ジャム検知時には、図示しない駆動部にジャム検知信号が送信され、該駆動部がファン２６及び吸気装置３４を駆動するようになっている。
【００６０】
次に、本発明の第１実施形態の作用について説明する。
【００６１】
図３及び図４に示すように、画像形成装置１００（図１参照）の動作中に記録用紙１１２のジャムが発生し、記録用紙１１２が切断されると、テンションローラ１４４の位置が下がって、前述のセンサによってジャム検知する。
【００６２】
続いて、ジャム検知信号によってファン２６（図２参照）及び吸気装置３４が駆動する。
【００６３】
記録用紙１１２の記録面側は、矢印Ａ方向からの送風が吹き付けられ、記録用紙１１２の裏面側は、矢印Ｂ方向の吸気により側板２８側に吸い寄せられる。
【００６４】
これにより、記録用紙１１２は、フラッシュ定着ユニット１４０のカバーガラス１６から離間する。
【００６５】
次に、本発明の定着装置及び画像形成装置の第２実施形態を図面に基づき説明する。
【００６６】
なお、前述した第１実施形態と基本的に同一の部品には、前記第１実施形態と同一の符号を付与してその説明を省略する。
【００６７】
図５に示すように、フラッシュ定着ユニット１４０の通気穴１８、２０に、ステンレス製のパイプ４６、４８の一端が接続されており、パイプ４６、４８は図示しない三方継手によってパイプ４４に接続され、内部が連通している。パイプ４４の他端は、第１ファン４２に接続されている。
【００６８】
第１ファン４２は、図示しない電源供給手段から電源供給されて駆動し、パイプ４４に空気を供給するようになっている。
【００６９】
これにより、第１ファン４２が図示しない電源供給手段から電源供給されて駆動すると、パイプ４４を介してパイプ４６、４８に空気が供給され、通気穴１８〜通気穴２１から記録用紙１１２に向けて矢印Ｄ方向に送風されるようになっている。
【００７０】
一方、記録用紙１１２の搬送路を挟んでフラッシュ定着ユニット１４０の前面と対向する位置には、送風ユニット４０が配置されている。
【００７１】
逆送風手段の一例としての送風ユニット４０は、記録用紙１１２と所定距離で離間した側板５０と、パイプ５４と、第２ファン５８を有している。
【００７２】
側板５０には、記録用紙１１２に向けて貫通した通気穴５２が複数形成されている。側板５０における記録用紙１１２と反対側の面には、複数のパイプ５４が配置され、通気穴５２とパイプ５４が接続され固定されている。
【００７３】
パイプ５４の他端は、図示しない継手によって１本のパイプ５６に接続され、パイプ５６の他端は、第２ファン５８に接続されている。
【００７４】
第２ファン５８は、図示しない電源供給手段から電源供給されて駆動し、パイプ５６に空気を供給するようになっている。
【００７５】
これにより、第２ファン５８が駆動されると、パイプ５６を介して複数のパイプ５４に空気が供給され、複数の通気穴５２から記録用紙１１２の裏面に向けて矢印Ｃ方向に送風されるようになっている。
【００７６】
次に、本発明の第２実施形態の作用について説明する。
【００７７】
画像形成装置１００（図１参照）において、記録用紙１１２への定着時に第２ファン５８が駆動される。第２ファン５８から供給された空気は、パイプ５６、５４を通って矢印Ｃ方向に送られる。
【００７８】
これにより、記録用紙１１２は、矢印Ｃ方向からの送風を受けてフラッシュ定着ユニット１４０側に近づき、記録用紙１１２上のトナーＴには、フラッシュランプ１４の発光による熱が伝わる。
【００７９】
一方、記録用紙１１２のジャム時に記録用紙１１２が切断されると、前述のテンションローラ１４４（図３参照）におけるジャム検知手段が作動し、第１ファン４２が駆動される。第１ファン４２から送出された空気は、パイプ４４からパイプ４６又はパイプ４８を通って矢印Ｄ方向に送られる。
【００８０】
これにより、記録用紙１１２はカバーガラス１６から離間する。
【００８１】
次に、本発明の定着装置及び画像形成装置の第３実施形態を図面に基づき説明する。
【００８２】
なお、前述した第１実施形態と基本的に同一の部品には、前記第１実施形態と同一の符号を付与してその説明を省略する。
【００８３】
図６に示すように、画像形成装置１００内にフラッシュ定着ユニット７０が設けられている。
【００８４】
定着部の一例としてのフラッシュ定着ユニット７０は、一方に開口部を有する箱状のハウジング７２内に６本の熱源の一例としてのフラッシュランプ７４が配置され、該開口部をカバーガラス７６が覆っている。
【００８５】
カバーガラス７６と所定距離離間して対向する位置には、静電吸着器６０が配置されている。
【００８６】
静電力発生手段の一例としての静電吸着器６０は、固定用のベース６４上に、図示しない電極を内包したプラスチック複合板６２を配置した構成となっている。
【００８７】
プラスチック複合板６２の内部の電極には、直流電圧を供給するためのケーブル６６の一端が接続されている。ケーブル６６の他端は、直流電圧を出力する電源６８に接続されている。
【００８８】
なお、本実施形態におけるトナーＴの帯電極性は正とする。
【００８９】
次に、本発明の第３実施形態の作用について説明する。
【００９０】
図６ａに示すように、記録用紙１１２への定着時には、電源６８からプラスチック複合板６２の内部の電極に直流電圧が出力されず、記録用紙１１２は、フラッシュ定着ユニット７０と静電吸着器６０との間を吸引されずに通過する。
【００９１】
続いて、図６ｂに示すように、記録用紙１１２のジャム時に、記録用紙１１２が切断されると、前述のテンションローラ１４４（図３参照）におけるジャム検知手段が作動し、電源６８が駆動される。
【００９２】
電源６８の駆動により、直流電圧がプラスチック複合板６２内の電極に供給され、プラスチック複合板６２の表面が負の極性に帯電する。
【００９３】
ここで、図６ｃに示すように、転写後のトナーＴの極性は正であり、記録用紙１１２におけるトナーＴと接触している表面側の極性が負となっている。
【００９４】
また、トナーＴと接触していない記録用紙１１２の裏面側の極性は正となっている。
【００９５】
このため、プラスチック複合板６２の表面の負電荷と、記録用紙１１２の裏面側の正電荷との間のクーロン引力により、記録用紙１１２は矢印Ｅ方向に引かれる。
【００９６】
これにより、記録用紙１１２はカバーガラス７６から離間する。
【００９７】
次に、本発明の定着装置及び画像形成装置の第４実施形態を図面に基づき説明する。
【００９８】
なお、前述した第１実施形態と基本的に同一の部品には、前記第１実施形態と同一の符号を付与してその説明を省略する。
【００９９】
図７ａに示すように、画像形成装置１００（図１参照）の内部にフラッシュ定着ユニット９０が設けられている。
【０１００】
定着部の一例としてのフラッシュ定着ユニット９０は、一方に開口部を有する箱状のハウジング９１内に６本の熱源の一例としてのフラッシュランプ９２が配置され、該開口部をカバーガラス９４が覆っている。
【０１０１】
フラッシュ定着ユニット９０の左右両側面に隣接する位置には、移動ユニット８０が設けられている。
【０１０２】
移動ユニット８０は、ガイドレール８２、移動板８４、シャフト８８、及びソレノイド８６で構成されている。
【０１０３】
ガイドレール８２は、フラッシュ定着ユニット９０の左右両側面に隣接する位置に、それぞれ上下一対設けられており、上下一対のガイドレール８２の間に移動板８４が挿通されている。
【０１０４】
移動板８４は、記録用紙１１２のジャム検知時に記録用紙１１２に当接する当接面８５を有しており、当接面８５と反対側の側面には、シャフト８８の一端が嵌合又は接着により固定されている。また、シャフト８８の他端は、ソレノイド８６の図示しない軸芯に固定されている。
【０１０５】
ソレノイド８６は、図示しない電源から電流が供給されることにより磁界が発生し、軸芯が直線運動をする。これにより、ソレノイド８６に電流が供給されると、シャフト８８が直線運動して、移動板８４がガイドレール８２に沿って移動可能となっている。
【０１０６】
次に、本発明の第４実施形態の作用について説明する。
【０１０７】
記録用紙１１２のジャム時には、前述のテンションローラ１４４（図３参照）におけるジャム検知手段が作動し、図示しない電源からソレノイド８６に電流が供給される。
【０１０８】
ソレノイド８６に電流が供給されると、シャフト８８が矢印Ｆ方向に移動し、移動板８４がガイドレール８２に沿って矢印Ｆ方向に移動する。
【０１０９】
移動板８４の当接面８５は、記録用紙１１２の両端部を矢印Ｇ方向に押圧し、記録用紙１１２はカバーガラス７６から離間される。
【０１１０】
このように、記録用紙１１２がカバーガラス７６から離間される。
【０１１１】
なお、本発明は上記の実施形態に限定されない。
【０１１２】
定着装置１０の設置方向は、鉛直方向以外の水平方向、斜め方向であってもよい。
【０１１３】
フラッシュランプ１４、７４、９２の本数は、６本以外であってもよい。
【０１１４】
パイプ２２、２４、４４、４６、４８、５４、５６の本数は、単数、複数で適宜選択してよい。
【０１１５】
ソレノイド８６の替わりに、カム機構を用いて記録用紙１１２をカバーガラス１６から離間させてもよい。
【図面の簡単な説明】
【０１１６】
【図１】本発明の第１実施形態に係る画像形成装置の断面図である。
【図２】（ａ）本発明の第１実施形態に係る定着装置の断面図である。（ｂ）本発明の第１実施形態に係る定着部の正面図である。
【図３】本発明の第１実施形態に係る記録用紙ジャム検知方法を示す説明図である。
【図４】本発明の第１実施形態に係る定着装置における記録用紙ジャム時の状態を示した断面図である。
【図５】本発明の第２実施形態に係る定着装置の断面図である。
【図６】本発明の第３実施形態に係る定着装置の断面図である。
【図７】本発明の第４実施形態に係る定着装置の斜視図である。
【符号の説明】
【０１１７】
１０  定着装置（定着装置）
１１  吸気ユニット（接触防止手段、吸気手段）
１４  フラッシュランプ（熱源）
１６  カバーガラス（保護ガラス）
２６  ファン（接触防止手段、送風手段）
４０  送風ユニット（逆送風手段）
６０  静電吸着器（静電力発生手段）
７０  フラッシュ定着ユニット（定着部）
７４  フラッシュランプ（熱源）
９０  フラッシュ定着ユニット（定着部）
９２  フラッシュランプ（熱源）
１１２  記録用紙（用紙）
１４０  フラッシュ定着ユニット（定着部）
Ｔ  トナー（トナー）
【図１】
2008185925.tif 000003
【図２】
2008185925.tif 000004
【図３】
2008185925.tif 000005
【図４】
2008185925.tif 000006
【図５】
2008185925.tif 000007
【図６】
2008185925.tif 000008
【図７】
2008185925.tif 000009